(57)【要約】【課題】広帯域無線接続システムで睡眠モード動作を支援するための方法を提供すること。【解決手段】本発明は、広帯域通信システムで睡眠モード動作の支援方法を提供する。移動端末（ＭＳＳ）は、睡眠モード状態にある少なくとも一つの移動端末（ＭＳＳ）の聴取期間を同期化（ｓｙｎｃｈｒｏｎｉｚｉｎｇ）するためのフレームオフセット情報を決定し、基地局は、少なくとも一つのＭＳＳに前記決定されたフレームオフセット情報を伝送する。【選択図】図１
2008515327.tif 000002
【特許請求の範囲】
【請求項１】
広帯域通信システムで睡眠モード動作の支援方法において、前記方法は、
睡眠モード（ｓｌｅｅｐ  ｍｏｄｅ）にある少なくとも一つの移動端末（ＭＳＳ：Ｍｏｂｉｌｅ  Ｓｕｂｓｃｒｉｂｅｒ  ｓｔａｔｉｏｎ）の聴取期間を同期化するためにフレームオフセット（ｆｒａｍｅ  ｏｆｆｓｅｔ）情報を決定する段階と、
前記決定されたフレームオフセット情報を少なくとも一つの移動端末に伝送する段階と、
を含む、睡眠モード動作支援方法。
【請求項２】
前記フレームオフセット情報によって決定された前記聴取期間中に、少なくとも一つのＭＳＳにトラフィック指示メッセージを放送する段階をさらに含むことを特徴とする、請求項１に記載の睡眠モード動作支援方法。
【請求項３】
前記フレームオフセット情報は、第１ＭＳＳの聴取期間の開始時点を基準として設定し、前記基準開始時点で第２ＭＳＳの聴取期間の開始時点を調整して決定されることを特徴とする、請求項１に記載の睡眠モード動作支援方法。
【請求項４】
前記フレームオフセット情報は、少なくとも二つのＭＳＳの聴取期間の開始時点を同期化することによって決定されることを特徴とする、請求項１に記載の睡眠モード動作支援方法。
【請求項５】
同期化は、前記聴取期間の開始時点を調整（ａｄｊｕｓｔｉｎｇ）及び一致（ｃｏｏｒｄｉｎａｔｉｎｇ）することを含むことを特徴とする、請求項４に記載の睡眠モード動作支援方法。
【請求項６】
前記決定されたフレームオフセット情報は、トラフィック指示メッセージを通じて伝送されることを特徴とする、請求項１に記載の睡眠モード動作支援方法。
【請求項７】
前記フレームオフセット情報は、ＴＬＶ（ｔｙｐｅ  ｌｅｎｇｔｈ  ｖａｌｕｅ）パラメータを含むことを特徴とする、請求項６に記載の睡眠モード動作支援方法。
【請求項８】
前記トラフィック指示メッセージは、少なくとも一つのＭＳＳを識別するための識別子（ｉｄｅｎｔｉｆｉｃａｔｉｏｎ）を含むことを特徴とする、請求項６に記載の睡眠モード動作支援方法。
【請求項９】
前記識別子は、睡眠識別子（ＳＬＰＩＤ）であることを特徴とする、請求項８に記載の睡眠モード動作支援方法。
【請求項１０】
前記識別子は、基本接続識別子（ｂａｓｉｃ  ｃｏｎｎｅｃｔｉｏｎ  ｉｄｅｎｔｉｆｉｃａｔｉｏｎ）であることを特徴とする、請求項８に記載の睡眠モード動作支援方法。
【請求項１１】
前記決定されたフレームオフセット情報は、レンジング応答メッセージに含まれて伝送されることを特徴とする、請求項１に記載の睡眠モード動作支援方法。
【請求項１２】
前記フレームオフセット情報は、ＴＬＶ（ｔｙｐｅ  ｌｅｎｇｔｈ  ｖａｌｕｅ）パラメータを含むことを特徴とする、請求項１１に記載の睡眠モード動作支援方法。
【請求項１３】
前記トラフィック指示メッセージは、少なくとも一つのＭＳＳを識別するための識別子を含むことを特徴とする、請求項１１に記載の睡眠モード動作支援方法。
【請求項１４】
前記識別子は、睡眠識別子（ＳＬＰＩＤ）であることを特徴とする、請求項１３に記載の睡眠モード動作支援方法。
【請求項１５】
前記識別子は、基本接続識別子（ＣＩＤ）であることを特徴とする、請求項１３に記載の睡眠モード動作支援方法。
【請求項１６】
広帯域通信システムで睡眠モード動作支援方法において、前記方法は、
少なくとも一つの移動端末（ＭＳＳ）の聴取期間を同期化するために決定されたフレームオフセット情報を受信する段階と、
前記決定されたフレームオフセット情報に基づいて少なくとも一つの聴取期間の開始時点を調整する段階と、
を含む、睡眠モード動作支援方法。
【請求項１７】
メッセージが、前記フレームオフセット情報に基づいて調整された前記聴取期間中に基地局から伝送されたか否かを確認する段階をさらに含むことを特徴とする、請求項１６に記載の睡眠モード動作支援方法。
【請求項１８】
前記フレームオフセット情報は、第１ＭＳＳの聴取期間の開始時点を基準として設定（ｓｅｔｔｉｎｇ）し、前記基準開始時点で第２ＭＳＳの聴取期間の開始時点を調整（ａｄｊｕｓｔｉｎｇ）して決定されることを特徴とする、請求項１６に記載の睡眠モード動作支援方法。
【請求項１９】
前記フレームオフセット情報は、少なくとも二つのＭＳＳの聴取期間の開始時点を同期化することによって決定されることを特徴とする、請求項１６に記載の睡眠モード動作支援方法。
【請求項２０】
前記決定されたフレームオフセット情報は、トラフィック指示メッセージを通じて伝送されることを特徴とする、請求項１６に記載の睡眠モード動作支援方法。
【請求項２１】
前記フレームオフセット情報は、ＴＬＶ（ｔｙｐｅ  ｌｅｎｇｔｈ  ｖａｌｕｅ）パラメータを含むことを特徴とする、請求項１６に記載の睡眠モード動作支援方法。
【請求項２２】
前記トラフィック指示メッセージは、少なくとも一つのＭＳＳを識別するための識別子（ｉｄｅｎｔｉｆｉｃａｔｉｏｎ）を含むことを特徴とする、請求項１６に記載の睡眠モード動作支援方法。
【請求項２３】
前記識別子は、睡眠識別子（ＳＬＰＩＤ）であることを特徴とする、請求項２２に記載の睡眠モード動作支援方法。
【請求項２４】
前記識別子は、基本接続識別子（ｂａｓｉｃ  ｃｏｎｎｅｃｔｉｏｎ  ｉｄｅｎｔｉｆｉｃａｔｉｏｎ）であることを特徴とする、請求項２２に記載の睡眠モード動作支援方法。
【請求項２５】
前記決定されたフレームオフセット情報は、レンジング応答メッセージに含まれて伝送されることを特徴とする、請求項１６に記載の睡眠モード動作支援方法。
【請求項２６】
前記フレームオフセット情報は、ＴＬＶ（ｔｙｐｅ  ｌｅｎｇｔｈ  ｖａｌｕｅ）パラメータを含むことを特徴とする、請求項２５に記載の睡眠モード動作支援方法。
【請求項２７】
前記トラフィック指示メッセージは、少なくとも一つのＭＳＳを識別するための識別子を含むことを特徴とする、請求項２５に記載の睡眠モード動作支援方法。
【請求項２８】
前記識別子は、睡眠識別子（ＳＬＰＩＤ）であることを特徴とする、請求項２７に記載の睡眠モード動作支援方法。
【請求項２９】
前記識別子は、基本接続識別子（ＣＩＤ）であることを特徴とする、請求項２７に記載の睡眠モード動作支援方法。
【請求項３０】
広帯域通信システムで睡眠モード動作支援方法において、前記方法は、
移動端末（ＭＳＳ）が睡眠モード進入を許諾することと関連した情報を含む睡眠応答メッセージを伝送する段階と、
現在聴取期間中に、少なくとも一つの他のＭＳＳの開始時点と同期化された後続の聴取期間の開始時点と関連した情報を、前記ＭＳＳに伝送する段階と、
を含む、睡眠モード動作支援方法。
【請求項３１】
前記後続の聴取期間は、フレームオフセット情報に基づいて同期化されたことを特徴とする、請求項３０に記載の睡眠モード動作支援方法。
【請求項３２】
前記フレームオフセット情報は、第１ＭＳＳの聴取期間の開始時点を基準として設定（ｓｅｔｔｉｎｇ）し、前記基準開始時点で第２ＭＳＳの聴取期間の開始時点を調整（ａｄｊｕｓｔｉｎｇ）して決定されることを特徴とする、請求項３１に記載の睡眠モード動作支援方法。
【請求項３３】
前記フレームオフセット情報は、少なくとも二つのＭＳＳの聴取期間の開始時点を同期化することによって決定されることを特徴とする、請求項３１に記載の睡眠モード動作支援方法。
【請求項３４】
前記聴取期間の開始時点と関連した前記情報は、トラフィック指示メッセージを通じて伝送されることを特徴とする、請求項３０に記載の睡眠モード動作支援方法。
【請求項３５】
前記トラフィック指示メッセージは、前記少なくとも一つのＭＳＳを識別するための情報を含むことを特徴とする、請求項３４に記載の睡眠モード動作支援方法。
【請求項３６】
前記聴取期間の開始時点と関連した前記情報は、レンジング応答メッセージを通じて伝送されることを特徴とする、請求項３０に記載の睡眠モード動作支援方法。
【請求項３７】
前記レンジング応答メッセージは、少なくとも一つのＭＳＳを識別するための情報を含むことを特徴とする、請求項３６に記載の睡眠モード動作支援方法。
【請求項３８】
移動端末（ＭＳＳ）で、少なくとも一つの睡眠モード移動端末と睡眠モードを同期化する方法において、前記方法は、
第２ＭＳＳの聴取期間の開始と同期を合わせるために第１ＭＳＳの聴取期間の開始時点を用いてフレームオフセット情報を決定する段階と、
前記決定されたフレームオフセット情報を前記第２ＭＳＳに伝送する段階と、
を含む、同期化方法。
【請求項３９】
基地局（ＢＳ）で、少なくとも一つの睡眠モード移動端末と睡眠モードを同期化する方法において、前記方法は、
少なくとも一つのＭＳＳの聴取期間の開始時点を調整するフレームオフセットを決定する段階と、
前記決定されたオフセット情報を、調整された前記聴取期間の開始時点を持つそれぞれのＭＳＳに伝送する段階と、
を含む、同期化方法。
【請求項４０】
睡眠モード移動端末に下り回線トラフィックを指示する方法において、前記方法は、
基地局（ＢＳ）に睡眠要請メッセージを伝送する段階と、
前記ＢＳから睡眠識別子（ＳＬＰＩＤ）を含む睡眠応答メッセージを受信することによって睡眠モードに進入する段階と、
前記ＢＳから特定された時間にトラフィック指示メッセージを受信する段階と、
前記トラフィック指示メッセージに含まれたＳＬＰＩＤが、睡眠応答メッセージに含まれた前記ＳＬＰＩＤと一致するか否かを判断する段階と、
もし、トラフィック指示メッセージに含まれた前記ＳＬＰＩＤが、前記睡眠応答メッセージに含まれた前記ＳＬＰＩＤと一致すると、睡眠モードを終了する段階と、
を含む、下り回線トラフィック指示方法。
【請求項４１】
前記ＳＬＰＩＤは、前記ＢＳのカバレージ内にある固有（ｕｎｉｑｕｅ）値であることを特徴とする、請求項４０に記載の下り回線トラフィック指示方法。
【請求項４２】
前記ＳＬＰＩＤは、前記ＭＳＳが睡眠モードに進入する時に前記ＢＳによって割り当てられたことを特徴とする、請求項４０に記載の下り回線トラフィック指示方法。
【請求項４３】
前記トラフィック指示メッセージは、肯定ＳＬＰＩＤの数を含むことを特徴とする、請求項４０に記載の下り回線トラフィック指示方法。
【請求項４４】
前記ＳＬＰＩＤの数は、７ビットで表現されることを特徴とする、請求項４３に記載の下り回線トラフィック指示方法。
【請求項４５】
前記ＳＬＰＩＤは、１０ビットで表現されることを特徴とする、請求項４０に記載の下り回線トラフィック指示方法。
【請求項４６】
前記特定された時間は、聴取期間であることを特徴とする、請求項４０に記載の下り回線トラフィック指示方法。
【請求項４７】
もし、前記トラフィック指示メッセージが、前記睡眠応答メッセージに含まれた前記ＳＬＰＩＤと異なると、睡眠モードに再進入する段階をさらに含むことを特徴とする、請求項４０に記載の下り回線トラフィック指示方法。
【請求項４８】
聴取期間は、睡眠モードに再進入する前に睡眠期間更新アルゴリズムによって更新されることを特徴とする、請求項４７に記載の下り回線トラフィック指示方法。
【請求項４９】
睡眠モード移動端末（ＭＳＳ）に下り回線トラフィックを指示するための方法において、前記方法は、
前記ＭＳＳから睡眠要請メッセージを受信する段階と、
睡眠識別子（ＳＬＰＩＤ）を含む前記睡眠応答メッセージを伝送することによって、前記ＭＳＳが睡眠モードに進入することを許諾する段階と、
特定された時間に、特定ＭＳＳに対するＳＬＰＩＤを含むトラフィック指示メッセージを少なくとも一つのＭＳＳに伝送する段階と、
を含む、下り回線トラフィック指示方法。
【請求項５０】
前記ＳＬＰＩＤは、前記ＭＳＳが睡眠モードに進入する場合、前記ＢＳによって割り当てられた固有（ｕｎｉｑｕｅ）値であることを特徴とする、請求項４９に記載の下り回線トラフィック指示方法。
【請求項５１】
前記トラフィック指示メッセージは、肯定ＳＬＰＩＤの数を含むことを特徴とする、請求項４９に記載の下り回線トラフィック指示方法。
【請求項５２】
前記特定された時間は、聴取期間であることを特徴とする、請求項４９に記載の下り回線トラフィック指示方法。
【請求項５３】
もし、前記トラフィック指示メッセージが、前記睡眠応答メッセージに含まれた前記ＳＬＰＩＤと異なると、睡眠モードに再進入する段階をさらに含むことを特徴とする、請求項４９に記載の下り回線トラフィック指示方法。
【請求項５４】
聴取期間は、睡眠モードに再進入する前に睡眠期間更新アルゴリズムによって更新されることを特徴とする、請求項５３に記載の下り回線トラフィック指示方法。
【発明の詳細な説明】
【技術分野】
【０００１】
本発明は、広帯域無線接続システムでの支援提供方法に係り、より詳細には、広帯域無線接続システムで睡眠モードの動作を支援する方法に関する。
【背景技術】
【０００２】
広帯域無線接続システムで、移動端末（ＭＳＳ）は、自分の消費電力を最小化するために睡眠モードに進入することができる。この睡眠モードＭＳＳは、一定割合で増加する睡眠区間（ｓｌｅｅｐ  ｉｎｔｅｒｖａｌ）によって動作する。この睡眠区間は、聴取期間及び睡眠期間とからなる。
【０００３】
聴取期間は、睡眠要請メッセージ及び睡眠応答メッセージによって決定される。より詳細には、ＭＳＳは、基地局（ＢＳ）に睡眠モード進入のための許可を要請する。この要請に応答して、ＢＳは、当該ＭＳＳの睡眠モードへの進入を許諾（ｇｒａｎｔｉｎｇ）するメッセージを伝送する。
【０００４】
ＭＳＳは、ＢＳから睡眠応答メッセージを受信すると睡眠モードに進入する。聴取期間の間にそのアドレスを通じて通信（ｔｒａｆｆｉｃ）を維持する。
【０００５】
聴取期間周期の間に、トラフィック指示（ＭＯＢ−ＴＲＦ−ＩＮＤ）メッセージはＢＳから放送される。トラフィック指示メッセージから、ＭＳＳはそのアドレスを有する下り回線トラフィックがある否か検討する。
【０００６】
睡眠モードで、ＭＳＳは電力を節約するために下り回線信号を最小限の回数または量で受信する。なお、この期間中に、移動端末（ＭＳＳ）は、ハンドオーバー（ｈａｎｄｏｖｅｒ）のための周辺基地局のスキャニング（ｓｃａｎｎｉｎｇ）と上り通信維持及び信号品質に見合う適切な下りコーディングタイプ維持のためのレンジング（ｒａｎｇｉｎｇ）などを行う。
【０００７】
睡眠モードの動作は、移動端末と基地局間に睡眠要請メッセージ（ＭＯＢ−ＳＬＰ−ＲＥＱ）、睡眠応答メッセージ（ＭＯＢ−ＳＬＰ−ＲＳＰ）及び放送形態のトラフィック指示メッセージ（ＭＯＢ−ＴＲＦ−ＩＮＤ）などの媒体接続制御（ＭＡＣ）管理メッセージを互いにやり取りすることによってなされる。
【０００８】
表１は、端末がサービス基地局に睡眠期間及び聴取期間の大きさなどを含む、睡眠モード要請のために伝達する睡眠要請メッセージの一例である。
【０００９】
【表１】
2008515327.tif 000003
表２は、サービス基地局が端末に睡眠応答を通じて睡眠モード許諾（ｇｒａｎｔｉｎｇ）可否と睡眠期間と聴取期間及び睡眠識別子などの睡眠モード関連情報を伝達する睡眠応答メッセージの一例である。
【００１０】
【表２】
2008515327.tif 000004
上述のように、睡眠応答メッセージを受信する場合、ＭＳＳは睡眠モードに進入する。睡眠モードＭＳＳの動作は、次のようである。図１は、睡眠モードＭＳＳの動作の一例を示す図である。より詳細には、図１は、ＭＳＳが睡眠モードに進入するための要請を基地局ＢＳに伝送し、ＭＳＳにＢＳから下り回線トラフィックに対する通知がある時に睡眠モードを終了する。各動作の詳細は次の通りである。
【００１１】
ＭＳＳは、睡眠要請メッセージ情報に最初睡眠区間（Ｎ１）、最終睡眠区間（Ｎ２）、及び聴取区間（Ｌ１）の値を含めて基地局に伝達し、睡眠モードへの切換を要請する（Ｓ１１）。これに応じて、ＢＳが睡眠モード進入要請を承認すると、当該基地局ＢＳは、最初睡眠区間（Ｎ１）、最終睡眠区間（Ｎ２）、聴取区間（Ｌ１）、及び睡眠モード開始時間（Ｍ）を決定し、この決定された情報を含む睡眠応答メッセージ（表２参照）をＭＳＳに伝送する（Ｓ１２）。
【００１２】
前記ＭＳＳは、睡眠モードに進入した後に最初睡眠区間（Ｎ１）の間に睡眠モードを維持する。最初睡眠区間が満了した後に、ＭＳＳは聴取区間（Ｌ１）の間に放送形態のトラフィック指示メッセージを受信する（Ｓ１３）。もしＭＳＳが自分に向かう下り回線トラフィックがないと確信すると、ＭＳＳは最初睡眠区間の２倍に睡眠区間を増加させる（２＊Ｎ１）。
【００１３】
より詳細には、後続の睡眠区間は以前の睡眠区間から、維持され反復される最終睡眠期間まで２倍ずつ増加する。最終睡眠期間は、表２のパラメータを用いて次のように決定する。
【００１４】
【数１】
2008515327.tif 000005
聴取期間で、もしＭＳＳが自分に向かうトラフィックがあることをトラフィック指示メッセージを通じて受信すると（Ｓ１５）、ＭＳＳは睡眠モードを終了して正常動作に復帰する。正常動作に復帰した後に、ＭＳＳは下り回線トラフィックを受信することができる。
【００１５】
もし、ＭＳＳが睡眠モードに復帰及び維持するようになると、睡眠期間は以前の睡眠期間の２倍と長くなる。後続の聴取期間で、もしＭＳＳへ向かう下り回線トラフィックがないと、ＭＳＳは睡眠モードに再び復帰し、睡眠期間の長さは以前睡眠期間の２倍と長くなる。すなわち、睡眠期間は、一定の割合で増加し、例えば、各聴取期間後に睡眠モードに復帰後に２倍ずつ増加する。これを図２に示す。
【００１６】
図３は、睡眠モード状態にある少なくとも一つの端末が、睡眠期間を更新する一例を示す図である。図３を参照すると、もし複数のＭＳＳが睡眠モードに進入すると、それぞれのＭＳＳは相異なる時間に睡眠モードに進入するから、数多くの聴取期間が発生してしまい、ＢＳはそれぞれのＭＳＳに対応できなくなる。その結果、ＢＳは毎聴取期間ごとにトラフィック指示メッセージを放送することになり、ＭＳＳが増加する分だけ放送の回数も増加してしまう。これにより、ＭＳＳ個数の増加に伴って増加するそれぞれの毎聴取期間に対応して、放送されるトラフィック指示メッセージが増加する結果につながることは明らかである。
【００１７】
なお、放送の回数が増加するにつれ、ＭＳＳに転送されるデータの量も同様に増加する。すなわち、睡眠モードのＭＳＳに転送されるトラフィック指示メッセージの長さが増加してしまう。
【発明の開示】
【発明が解決しようとする課題】
【００１８】
したがって、本発明は、上記従来技術の限界及び不利な点に起因する１つ以上の問題を実質的に解決するためのもので、無線接続システムで睡眠モード動作を支援する方法に関する。
【００１９】
本発明の目的は、広帯域無線通信システムで睡眠モード動作の支援方法を提供することにある。
【００２０】
本発明の他の目的は、少なくとも一つの移動端末の聴取期間の開始時点を同期化する方法を提供することにある。
【００２１】
本発明のさらに他の目的は、トラフィック指示メッセージの長さを減らす方法を提供することにある。
【００２２】
本発明の追加的な利点、目的及び特徴は、一部は以下の詳細な説明で説明され、一部は以下説明に基づいて当該技術分野における通常の知識を持つ者にとっては明白なもので、本発明の実行によって明らかになるであろう。上記発明の目的、他の利点は、添付の図面の他、ここに作成された詳細説明及び請求項で指摘された構造によって実現され、得られることができる。
【課題を解決するための手段】
【００２３】
以上の目的及び他の利点を得るために、そして、発明の目的に応じてここに具体化され且つ概略説明されたように、本発明の一様相として、広帯域通信システムで睡眠モード動作の支援方法が開示される。前記方法は、睡眠モード（ｓｌｅｅｐ  ｍｏｄｅ）にある少なくとも一つの移動端末（ＭＳＳ：Ｍｏｂｉｌｅ  Ｓｕｂｓｃｒｉｂｅｒ  ｓｔａｔｉｏｎ）の聴取期間を同期化するためにフレームオフセット（ｆｒａｍｅ  ｏｆｆｓｅｔ）情報を決定する段階と、前記決定されたフレームオフセット情報を少なくとも一つの移動端末に伝送する段階とを含む。
【００２４】
本発明の他の様相として、広帯域通信システムで睡眠モード動作支援方法が開示される。前記方法は、少なくとも一つの移動端末（ＭＳＳ）の聴取期間を同期化するために決定されたフレームオフセット情報を受信する段階と、前記決定されたフレームオフセット情報に基づいて少なくとも一つの聴取期間の開始時点を調整する段階とを含む。
【００２５】
本発明のさらに他の様相として、広帯域通信システムで睡眠モード動作支援方法が開示される。前記方法は、移動端末（ＭＳＳ）が睡眠モード進入を許諾することと関連した情報を含む睡眠応答メッセージを伝送する段階と、現在聴取期間の間に、少なくとも一つの他のＭＳＳの開始時点と同期化された後続の聴取期間の開始時点と関連した情報を前記ＭＳＳに伝送する段階とを含む。
【００２６】
本発明のさらに他の様相として、睡眠モード移動端末（ＭＳＳ）に下り回線トラフィックを指示する方法は、基地局（ＢＳ）に睡眠要請メッセージを伝送する段階と、前記ＢＳから睡眠識別子（ＳＬＰＩＤ）を含む睡眠応答メッセージを受信することによって睡眠モードに進入する段階とを含む。また、前記方法は、前記ＢＳから特定された時間にトラフィック指示メッセージを受信する段階と、前記トラフィック指示メッセージに含まれたＳＬＰＩＤが、睡眠応答メッセージに含まれた前記ＳＬＰＩＤと一致するか否かを判断する段階とを含む。さらに、前記方法は、もしトラフィック指示メッセージに含まれた前記ＳＬＰＩＤが、前記睡眠応答メッセージに含まれた前記ＳＬＰＩＤと一致すると睡眠モードを終了する段階を含む。
【００２７】
本発明のもう一つの様相として、睡眠モード移動端末（ＭＳＳ）に下り回線トラフィックを指示するための方法が開示される。詳細には、基地局は、前記ＭＳＳから睡眠要請メッセージを受信し、睡眠識別子（ＳＬＰＩＤ）を含む前記睡眠応答メッセージを伝送することによって、前記ＭＳＳが睡眠モードに進入することを許諾する。また、前記基地局は、特定された時間に特定ＭＳＳに対するＳＬＰＩＤを含むトラフィック指示メッセージを少なくとも一つのＭＳＳに伝送する。
【００２８】
本発明の以上の、そして他の目的、特徴、様相及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明を実施するための最良の形態】
【００２９】
以下、本発明の好ましい実施形態、添付された図面に表された例について詳細に説明する。図面中、同一の構成要素には可能な限り同一の参照番号を共通使用するものとする。
【００３０】
本発明の一実施例として、より効率的な睡眠モード動作を達成するための方法が開示される。より詳細には、移動端末に放送されるトラフィック指示メッセージの回数を減少させることによって、より効率的な睡眠モードの使用が達成できる。トラフィック指示メッセージの伝送回数を減らすために、睡眠モード移動端末間の聴取期間を同期化（ｓｙｎｃｈｒｏｎｉｚａｔｉｏｎ）させれば良い。聴取期間の同期化は、睡眠モード移動端末のフレームオフセット値を調整することによって達成できる。
【００３１】
図４Ａに示す従来技術においては、睡眠ＩＤ（ＳＬＰＩＤ）‘１’を持つ端末と睡眠ＩＤ‘２’を持つ端末が、睡眠モード状態で聴取期間に基地局からそれぞれ個別にトラフィック指示メッセージを受信する。これに対し、図４Ｂに示す本発明においては、各端末が始めにはそれぞれ個別にトラフィック指示メッセージを受信し、ある時点になると当該基地局でＳＬＰＩＤ‘２’の端末の聴取時間を調整してＳＬＰＩＤ‘１’の端末の聴取時間と同期化（ｓｙｎｃｈｒｏｎｉｚａｔｉｏｎ）させる。このため、前記基地局は前記端末の全てに対して一つのトラフィック指示メッセージを放送して下り回線の負荷量を縮小させる。
【００３２】
図５は、本発明の一実施例による基地局及び移動端末間の通信手順を示す図である。図５で、ＭＳＳは睡眠モードに進入するための許可を要請するために、ＢＳに睡眠要請メッセージ（ＭＯＢ−ＳＬＰ−ＲＥＱ）を伝送する（Ｓ５１）。これに応じて、前記ＢＳは、初期睡眠期間、睡眠モード進入時点、及び最終睡眠期間を含む睡眠応答メッセージ（ＭＯＢ−ＳＬＰ−ＲＳＰ）を、前記ＭＳＳに伝送する（Ｓ５２）。
【００３３】
もし、ＢＳからＭＳＳへの下り回線トラフィックにいかなるデータも含まれていないと、前記ＭＳＳは睡眠モードに復帰する。ただし、睡眠モードに復帰する前に、睡眠モードの大きさまたは期間は、睡眠期間更新アルゴリズムを用いて一定の割合で増加する。例えば、後続の睡眠期間は、以前の睡眠期間よりも２倍程度の大きさまたは期間に増加する。なお、ＭＳＳは、睡眠期間中に、ＢＳから放送されたトラフィック指示メッセージ（ＭＯＢ−ＴＲＦ−ＩＮＤ）を受信する（Ｓ５３、Ｓ５４）。ＭＯＢ−ＴＲＦ−ＩＮＤメッセージは、表６のようなデータ構造を含むことができる。
【００３４】
複数のＭＳＳのＭＯＢ−ＴＲＦ−ＩＮＤメッセージ伝送の同期を合わせるために、少なくとも一つのＭＳＳのフレームオフセットが決定されなければならない。このフレームオフセットは、ＭＳＳの聴取期間と他のＭＳＳの聴取期間を同期化することによって決定されることができる。
【００３５】
睡眠モード状態にある複数の端末の聴取期間を同期化させる方法には、次の２通りが考慮できる。
【００３６】
その一つは、各移動端末の聴取期間の開始を一致させることと関連している方法である。詳細には、複数の端末のうちのいずれか一つの端末の聴取期間の開始時点を基準とし、フレームオフセットをその他の端末の聴取期間の開始時点と設定することによって各端末の聴取期間の開始時点を一致させる方法である。
【００３７】
もう一つの方法は、上記の方法のように特定端末を基準とするのではなく、前記基地局が各端末の聴取期間の開始時点を同期化させうるように、フレームオフセットを前記端末の聴取期間の開始時点と設定する方法である。
【００３８】
基地局が睡眠モード状態にある全ての端末の聴取期間を同期化させるためのフレームオフセット（ｆｒａｍｅ  ｏｆｆｓｅｔ）を決定した後に、該決定されたフレームオフセット情報を各端末に伝送する。
【００３９】
図５に示す実施例において、フレームオフセット情報は、基地局から聴取期間中に放送するトラフィック指示メッセージ（ＭＯＢ−ＴＲＦ−ＩＮＤ）を通じて転送され、また、下記表３のようなＴＬＶ（Ｔｙｐｅ  Ｌｅｎｇｔｈ  Ｖａｌｕｅ）形態のパラメータ（ｐａｒａｍｅｔｅｒ）とされることができる（Ｓ５４）。ただし、このフレームオフセット情報の伝送方式は他の方法でも表現可能であり、表３の方法に限定されるわけはない。
【００４０】
【表３】
2008515327.tif 000006
ここで、表３は、可変的な長さを持つ‘コンパウンド（ｃｏｍｐｏｕｎｄ）’形式の聴取時間フレームオフセット情報が含まれたことを意味する。
【００４１】
また、基地局は、当該各端末に上記フレームオフセット情報と共に、各端末を識別可能にする識別子（ＩＤ）を伝送しなければならない。このＩＤの形態には、睡眠ＩＤ（ＳＬＰＩＤ）または基本接続ＩＤ（ｂａｓｉｃ  ｃｏｎｎｅｃｔｉｏｎ  ＩＤ）が使用されることができる。睡眠ＩＤ（ＳＬＰＩＤ）は、端末が睡眠モード状態に入るとき、基地局が睡眠応答メッセージ（ＭＯＢ−ＳＬＰ−ＲＳＰ）を通じてて端末に与えるＩＤである。したがって、このＳＬＰＩＤは、各睡眠モードＭＳＳに固有するものである。一方、基本接続ＩＤ（ｂａｓｉｃ  ＣＩＤ）は、ＢＳと通信する全てのＭＳＳに割り当てられたＩＤである。主として、基本接続ＩＤは、ＢＳとＭＳＳが初めて接続を設定する時に割り当てられるものである。
【００４２】
次の表４は、睡眠ＩＤを使用した場合にトラフィック指示メッセージに含まれるデータ形式を示すものである。表５は、上記ＩＤとして基本接続ＩＤを使用する場合のデータ形式を示している。表４及び表５は、本発明の具体的な実施例であり、当業者の選択によって他の様々な方法が考慮されても良い。
【００４３】
【表４】
2008515327.tif 000007
【００４４】
【表５】
2008515327.tif 000008
続いて、ＭＳＳは、聴取期間中に当該基地局から転送されたトラフィック指示メッセージを通じて、ＭＳＳに転送される下りトラフィックがあるか否かを確認する。もし、下りトラフィックがない場合、ＭＳＳはフレームオフセット情報が含まれたか否かを確認する。もし、トラフィック指示メッセージにフレームオフセット情報が含まれた場合には、ＭＳＳは、自分に該当する睡眠識別子（ＳＬＰＩＤ）または基本接続ＩＤ（ｂａｓｉｃ  ＣＩＤ）が含まれたか否か判断する（Ｓ５４）。
【００４５】
たとえＳＬＰＩＤまたは基本接続ＩＤが上記メッセージに含まれることができても、ＳＬＰＩＤの使用が、基本接続ＩＤを使用することよりも長所が多い。特に、ＳＬＰＩＤは、より少ない数のビット（ｂｉｔ）を必要とする。すなわち、ＳＬＰＩＤは１０ビットを使用するのに対し、基本接続ＩＤは１２ビットを使用する。トラフィック指示メッセージでＳＬＰＩＤを使用することについては、次の本発明の他の実施例で詳細に説明される。
【００４６】
図６は、フレームオフセット情報、ＳＬＰＩＤ、または基本接続ＩＤ（ｂａｓｉｃ  ＣＩＤ）のような情報を含むレンジング応答メッセージを示す一例である。
【００４７】
図６を参照すると、移動端末（ＭＳＳ）は、睡眠要請メッセージ（ＭＯＢ−ＳＬＰ−ＲＥＱ）を基地局（ＢＳ）に伝送して睡眠モードへの切換を要請する（Ｓ６１）。この基地局（ＢＳ）は、睡眠応答メッセージ（ＭＯＢ−ＳＬＰ−ＲＳＰ）を当該移動端末に伝送する（Ｓ６２）。この睡眠応答メッセージには、最初睡眠期間及び睡眠モード切換時点、聴取期間、最後睡眠期間などのような情報が含まれる。
【００４８】
したがって、移動端末は、睡眠期間アップデートアルゴリズムによって睡眠期間を順次増加させる。移動端末は、聴取期間中にトラフィック指示メッセージ（ＭＯＢ−ＴＲＦ−ＩＮＤ）を受信し、自分に向かう下りトラフィックがあるか確認する。下りトラフィックがない場合、移動端末は睡眠モードを維持する（Ｓ６３，Ｓ６４）。
【００４９】
当該端末は睡眠モード状態で上り通信維持のための周期的レンジング（ｒａｎｇｉｎｇ）を行うために当該基地局にレンジング要請メッセージ（ＲＮＧ−ＲＥＱ）を伝送する（Ｓ６５）。より詳細には、周期的レンジングは、端末が基地局にデータを伝送すべき場合に備えて、上り通信のためのタイミングオフセット（ｔｉｍｉｎｇ  ｏｆｆｓｅｔ）、電力（ｐｏｗｅｒ）などのようなパラメータ値を調整することを意味する。したがって、端末は、睡眠モード状態でも基地局に周期的にレンジング要請メッセージを伝送することによってレンジングを行わねばならない。
【００５０】
ＭＳＳからレンジング要請メッセージを受信した後に、ＢＳは、レンジング応答メッセージ（ＲＮＧ−ＲＳＰ）を端末に伝送する（Ｓ６６）。当該基地局が睡眠モード状態にある前記端末の聴取期間開始時点の調整を通じて当該端末と睡眠モード状態にある他の端末とのトラフィック指示メッセージ伝送同期を合わせることができる。これを達成するために、上りリンク伝送パラメータ調整値と各ＭＳＳのフレームオフセット情報及びＭＳＳによる識別子（ＩＤ：ｉｄｅｎｔｉｆｉｃａｔｉｏｎ）を含むパラメータ値はレンジング応答メッセージに含まれて基地局（ＢＳ）から移動端末（ＭＳＳ）に伝送される。
【００５１】
すなわち、当該基地局（ＢＳ）は、聴取期間時点を変更させようとする端末の睡眠識別子（ＳＬＰＩＤ）または基本接続識別子（Ｂａｓｉｃ  ＣＩＤ）と聴取期間の開始時点のフレームオフセット値を設定して伝達する。該移動端末（ＭＳＳ）は、基地局から伝送されてきた睡眠応答メッセージを通じてフレームオフセット情報が含まれたか否かを確認する。もし、上記睡眠応答メッセージにフレームオフセット情報が含まれている場合には、ＭＳＳは、自分に該当する睡眠識別子（ＳＬＰＩＤ）または基本接続識別子（ｂａｓｉｃ  ＣＩＤ）が含まれているか否か確認する。
【００５２】
前記移動端末は、下りトラフィックがなく、自分の睡眠識別子または基本接続識別子がないと、睡眠期間更新アルゴリズムによって睡眠期間及び聴取期間を設定し、睡眠モードを維持する。一方、ＭＳＳは、自分の睡眠識別子または基本接続識別子があると、フレームオフセット情報によって設定される次の聴取期間になるまで睡眠モードを維持し、次の聴取期間に基地局から伝送されるトラフィック指示メッセージを受信する（Ｓ６７）。聴取期間を調整するために、睡眠期間が睡眠期間更新アルゴリズムで適用された値と異なる値に設定されても良い。異なる睡眠期間が設定された後に、以降の睡眠期間は、調整された睡眠期間によって更新されず、調整されなかった睡眠期間、すなわち、元来の睡眠期間によって更新される。
【００５３】
上述のように、基地局（ＢＳ）は移動端末（ＭＳＳ）に向かう下り回線トラフィックが存在するか否かを指示するために、ＳＬＰＩＤまたは基本接続ＩＤ（ｂａｓｉｃ  ＣＩＤ）を使用することができる。すなわち、ＳＬＰＩＤまたは基本接続ＩＤは、睡眠モード移動端末に下り回線の存在を伝達するために使われることができる。
【００５４】
本発明の他の実施例として、移動端末に下り回線トラフィックがあるかを指示するためのメッセージを伝送するより効率的な方法が論議される。より詳細には、睡眠モード状態にある移動端末（ＭＳＳ）にトラフィック指示メッセージを伝送するために、基本接続ＩＤの代わりにＳＬＰＩＤが用いられることができる。
【００５５】
表６には、（各）特定区間にＢＳからＭＳＳに放送されるトラフィック指示メッセージの一例を示す。より詳細には、表６は移動端末に向かう下り回線トラフィックが存在するか否かを指示する、または、移動端末による特定動作が何であるかを指示する。表６は、３２ビットの固定されたビット大きさを持ちうるグループ指示ビットマップ（ｂｉｔｍａｐ）を含む。
【００５６】
上述のように、睡眠モードにあるＭＳＳは、聴取期間中にトラフィック指示メッセージを受信し、このＭＳＳは自分に向かう下り回線トラフィックが含まれているかを判断する。すなわち、睡眠モードを維持するか、それとも、睡眠モードを終えて下り回線データを受信するかを決定するＭＳＳにおいて、下り回線トラフィックの存在は重要である。
【００５７】
【表６】
2008515327.tif 000009
もし、ＭＳＳに向かう下り回線トラフィックがあると、前記ＭＳＳの属したＳＬＰＩＤグループに向かう下り回線トラフィックの有無を知るために、‘睡眠識別子（ＳＬＰＩＤ）グループ指示ビットマップ’を確認する。もし、ＳＬＰＩＤグループに向かう下り回線トラフィックがあると、当該ＭＳＳは、受信するためのトラフィックが存在するか否かを判断するために‘トラフィック指示ビットマップ’を確認する。
【００５８】
表６に含まれた情報に関し、ＢＳは、睡眠モードにある移動端末にトラフィック指示メッセージを提供するために、表７に表す、移動端末に向かう下り回線トラフィックの有無または特定動作を行うための形態と関連した情報を使用することができる。表７は、ＳＬＰＩＤビットマップを使用する一例である。表７で、指示は４形態に区分される。この４形態は、次の通りである。
【００５９】
ＳＬＰＩＤビットマップ値‘００’は、ＢＳからＭＳＳに、睡眠モードを維持するようとの命令を指示する。ＳＬＰＩＤビットマップ値‘０１’は、ＢＳからＭＳＳに、睡眠モードを直ちに終了するようとの命令を指示する。ＳＬＰＩＤビットマップ値‘１０’は、ＢＳからＭＳＳに、レンジング動作後に睡眠モードに再進入するようとの命令を指示する。最後に、ＳＬＰＩＤビットマップ値‘１１’は、ＢＳからＭＳＳにレンジング動作後に睡眠モード終了命令を指示する。このとき、睡眠識別（ｉｄｅｎｔｉｆｉｃａｔｉｏｎ）ビットマップは２ビットである。
【００６０】
【表７】
2008515327.tif 000010
下り回線トラフィックの存在と関連した情報をＭＳＳに提供するために、ＢＳはＳＬＰＩＤビットマップまたは短い基本ＣＩＤ（ｓｈｏｒｔ  ｂａｓｉｃ  ＣＩＤ）を使用することができる。もし、基本ＣＩＤが使用されると、下位１２ビットが前記メッセージを伝送するために使用される。基本ＣＩＤのビット使用に関し、１６ビットのうち、単に下位１２ビットのみ使用され、残りの上位４ビットはＢＳによって使用される。なお、もし基本ＣＩＤの下位１２ビットが同一であれば、前記ＢＳは、前記基本ＣＩＤを使用するＭＳＳに下り回線トラフィックの指示を提供できない。また、ＳＬＰＩＤの１０ビットを越える基本ＣＩＤの１２ビットの使用の短所は、トラフィック指示メッセージの長さが長くなるということである。
【００６１】
選択的に、ＳＬＰＩＤビットマップが使用されると、各ＳＬＰＩＤビットマップに２ビットがＳＬＰＩＤの指定のために割り当てられる。このように、ＭＳＳの数字によって、ビットマップの長さも長くなる。ここで、前記ＳＬＰＩＤは、最大１０２４の値を持つことができ、これは、ＳＬＰＩＤビットマップが最大１０２４＊２＝２０４８ビットの長さを持つことができるということを意味する。すなわち、ＳＬＰＩＤビットマップは２５６バイト（ｂｙｔｅ）を有する。
【００６２】
上述のように、従来は、睡眠モード移動端末を区分し、対応するＭＳＳに下り回線トラフィックの指示を提供するために２通りの方法が使用された。一つの方法は、ＳＬＰＩＤビットマップを使用することで、もう一つの方法は、ＭＳＳの基本ＣＩＤを使用することを含む。しかしながら、上記のように、睡眠モード状態にあるＭＳＳに下り回線トラフィックの指示を提供するためのＳＬＰＩＤビットマップの使用は、特にＭＳＳの数字が多いほどトラフィック指示メッセージの長さが長くなるという問題点がある。なお、ＭＳＳの基本ＣＩＤを使用するにおける問題点は、ＢＳが単に下り回線トラフィックの存在を指示するメッセージを提供するということである。
【００６３】
表８には、本発明の一実施例によるトラフィック指示メッセージ（ＭＯＢ−ＴＲＦ−ＩＮＤ）を示す。表８は、ＭＳＳに向かう下り回線トラフィックの有無またはＭＳＳによって行なわれる特定行為のような情報をＭＳＳに伝達するためにＳＬＰＩＤを使用することに関する。上記の説明で、特定行為は、例えば、ＳＬＰＩＤ更新及び聴取期間の開始時点調整を含む。なお、表８でトラフィック指示メッセージは、Ｎｕｍ−ＳＬＰＩＤフィールド、ＳＬＰＩＤフィールド、及びレンジングフレームフィールドなどの情報を含む。
【００６４】
【表８】
2008515327.tif 000011
より詳細には、７ビットのＮｕｍ−ＳＬＰＩＤは、ＳＬＰＩＤの数を表し、１０ビットのＳＬＰＩＤは、下り回線トラフィックまたは睡眠モードＭＳＳの特定行為を表す。ＳＬＰＩＤにある一つのＭＳＳに２ビットが割り当てられる。例えば、ＳＬＰＩＤビットマップ値‘００’は、周期的レンジング機会が無いこと及び下り回線トラフィックなどのデータが無いことを表す。なお、ＳＬＰＩＤビットマップ値‘０１’は、下り回線トラフィックのようなＰＤＵを表すが、周期的レンジングはないということを表す。ＳＬＰＩＤビットマップ値‘１０’は、周期的レンジング機会を表すが、媒体接続制御（ＭＡＣ）管理メッセージなどのＰＤＵはないということを表す。ここで、ＭＳＳは、周期的レンジング動作後に睡眠モードに復帰する。最後に、ＳＬＰＩＤビットマップ値‘１１’は、ＭＡＣ管理メッセージなどのＰＤＵのような周期的レンジング機会を表す。ここで、ＭＳＳは、周期的レンジング動作後に正常モードを維持する。なお、レンジングフレームオフセットフィールドは、ＳＬＰＩＤビットマップ値が‘１０’または‘１１’に設定される場合のフレームオフセットを指示する。
【００６５】
２ビット割当フォーマットを用いて、トラフィック指示メッセージの長さを縮小できる。例えば、もし演算命令語が睡眠モードを終結し、聴取期間に進入したＭＳＳに割り当てられると、基地局（ＢＳ）は、１２ビットの短い基本ＣＩＤの代わりに１０ビットのＳＬＰＩＤを使用することができるため、ＭＳＳ当たり２ビットの長さを減らすことができる。
【００６６】
選択的に、もし周期的レンジングが行われると、基地局（ＢＳ）は、ＳＬＰＩＤビットマップの代わりにＳＬＰＩＤを用いてトラフィック指示メッセージ（ＭＯＢ−ＴＲＦ−ＩＮＤ）の長さを減らすことができる。
【００６７】
例えば、ＢＳがＳＬＰＩＤ＝１０２３のＭＳＳに、周期的レンジング動作を行うように指示する場合を仮定する。このとき、従来のＳＬＰＩＤビットマップを使用する方法によれば、基地局は、ＭＳＳに指示するために２＊１０２４＝２０４８ビット＝２５６バイトのＳＬＰＩＤビットマップ長を必要とする。なお、表８の指示のように、トラフィック指示メッセージ（ＭＯＢ−ＴＲＦ−ＩＮＤ）は８＋１＋８＋２０４８＋８＋１０＋５（パッディング（ｐａｄｄｉｎｇ））＝２０８８ビット＝２６１バイトを必要とする。
【００６８】
しかし、もし、表８の指示のように、ＳＬＰＩＤが本発明の一実施例によって演算命令語をＭＳＳに通知すると、トラフィック指示メッセージ（ＭＯＢ−ＴＲＦ−ＩＮＤ）の長さは、８＋１＋７＋１０＋２＋８＋１０＋２（パッディング（ｐａｄｄｉｎｇ））＝６バイトを必要とする。
【００６９】
上記のように、ＢＳはＭＳＳに演算命令を伝送するために基本接続ＩＤ（ｂａｓｉｃ  ＣＩＤ）またはＳＬＰＩＤを使用することができる。基本接続ＩＤは、最下位ビットとして１２ビットを使用し、ＳＬＰＩＤは１０ビットを使用する。したがって、基本接続ＩＤの代わりにＳＬＰＩＤを使用すると、各ＭＳＳごとにビットの長さは２ビットずつ減少することができる。
【００７０】
以上では図面に示された実施例に挙げて本発明を説明してきたが、これは例示的なもので、これらの実施例から多様な変形及び均等な他の実施例が可能であることは、本技術分野における通常の知識を持つ者には理解できる。したがって、本発明の真の技術的保護範囲は、添付する特許請求の範囲上の技術的思想によって定められるべきである。
【図面の簡単な説明】
【００７１】
【図１】睡眠モードＭＳＳの動作の一例を示す図である。
【図２】一定の割合で増加する睡眠区間の一例を示す図である。
【図３】睡眠モード状態にある少なくとも一つの端末が睡眠期間を更新する一例を示す図である。
【図４Ａ】睡眠識別子（ＳＬＰＩＤ）‘１’を持つＭＳＳ及び睡眠識別子‘２’を持つＭＳＳを例示する図である。
【図４Ｂ】独立的にトラフィック指示メッセージを受信するそれぞれのＭＳＳ及び特定地点を例示する図である。
【図５】本発明の一実施例による基地局及び移動端末間の通信手順を示す図である。
【図６】フレームオフセット情報、ＳＬＰＩＤ、または基本接続ＩＤ（ｂａｓｉｃ  ＣＩＤ）のような情報を含むレンジング応答メッセージの一例である。
【図１】
2008515327.tif 000012
【図２】
2008515327.tif 000013
【図３】
2008515327.tif 000014
【図４Ａ】
2008515327.tif 000015
【図４Ｂ】
2008515327.tif 000016
【図５】
2008515327.tif 000017
【図６】
2008515327.tif 000018
【国際調査報告】
2008515327.tif 000019
2008515327.tif 000020
2008515327.tif 000021
2008515327.tif 000022